(57)【要約】  Ｔシャツに組み込まれた以下：  −光学およびその送信に必要な画像処理ソフトウェアを備えるマザーボードを組み込んだビデオカメラ（４）；そのバイザーは、小さなボタンホールを通ってスポーツ衣服の外側に向かって突き出る；  −周囲およびスポーツパーソンの音声をキャプチャーするマイクロホン（５）；  −無線の形態およびコード化で、映像およびオーディオ信号をエンコード（６）および送信（７）する、一連の電子回路；  −オーディオおよび映像信号の送信アンテナ（３）；および、  −前記のデバイスを供給するための、一連のバッテリー（８）、  を組み込む、一人称でイベントを送信するためのスポーツ衣服。  ここで、脈拍計または速度計をさらに備えてよく、送信に必要な全てのエレメントが、Ｔシャツの異なる部分の至る所に分配され、または、フレキシブルなボードに組み込まれて、配置されている。エレメントは、縫合、接着のいずれかにより取り外し可能にＴシャツに配置および固定され、Ｔシャツの空間に収納される。【特許請求の範囲】
【請求項１】
着用者のチームおよび／またはスポーツのための、標準的なスポーツＴシャツタイプの、一人称でイベントを送信するための、スポーツ衣服であって、
以下が、前記Ｔシャツに組み込まれている：
−光学およびその送信に必要な画像処理ソフトウェアを備えるマザーボードを組み込んだ、ビデオカメラ（４）；そのバイザーは、小さなボタンホールを通って前記スポーツ衣服の外側に向かって突き出る；
−周囲およびスポーツパーソンの音声をキャプチャーするマイクロホン（５）；
−無線の形態およびコード化で、映像およびオーディオ信号をエンコード（６）および送信（７）する、一連の電子回路；
−オーディオおよび映像信号の送信アンテナ（３）；および、
−前記のデバイスを提供するための、一連のバッテリー（８）、
ことを特徴とする、
スポーツ衣服。
【請求項２】
請求項１に記載のスポーツ衣服であって、
前記スポーツ衣服が、脈拍計および速度計（または別タイプのセンサー）も備える
ことを特徴とする、
スポーツ衣服。
【請求項３】
請求項２に記載のスポーツ衣服であって、
前記脈拍計は、好ましくは、前記カメラマザーボードにおいて、前記光学および前記速度計の横に、胸部に配置される
ことを特徴とする、
スポーツ衣服。
【請求項４】
請求項２または３に記載のスポーツ衣服であって、
送信（７）する前記の一連の電子回路は、前記の映像およびオーディオデータを送信するだけでなく、脈拍計および速度計データおよびカメラ配置データも送信し、双方向通信を実行することが可能であり、送信中に前記カメラ配置を修正することを可能にする
ことを特徴とする、
スポーツ衣服。
【請求項５】
請求項１から４のいずれかに記載のスポーツ衣服であって、
前記のエレメント全てが、フレキシブルで軽いボード（２）に組み込まれている
ことを特徴とする、
スポーツ衣服。
【請求項６】
請求項５に記載のスポーツ衣服であって、
前記のフレキシブルで軽いボード（２）は、前記衣服の布地の内側に、胸の高さで前方領域に固定して収納される
ことを特徴とする、
スポーツ衣服。
【請求項７】
請求項６に記載のスポーツ衣服であって、
前記の送信装置の操作に必要なエレメントを組み込む前記ボード（２）は、胸の高さで前記Ｔシャツ（１）の内側および前面に縫合または接着されて固定され、一片の繊細なゴムおよび／または一片の繊細な布地により被覆される
ことを特徴とする、
スポーツ衣服。
【請求項８】
請求項１に記載のスポーツ衣服であって、
前記Ｔシャツまたはスポーツ衣服における異なるエレメントの分配は、以下：
−前記Ｔシャツの胸部に、前記画像センサーおよび前記レンズを備える前記カメラの光学、
−前記Ｔシャツの左肩、右肩および後部に、残りのエレメント、例えば、高周波送信機および前記アンテナ、前記カメラマザーボード、および前記の一連のバッテリーを分配することが可能であり、
ここで、前記エレメントの全ては、フレキシブルプリント回路により相互接続される
ことを特徴とする、
スポーツ衣服。
【請求項９】
請求項１から８のいずれかに記載のスポーツ衣服であって、
前記スポーツ衣服は、取り外し可能な送信に必要な異なるエレメントを収容および固定することが可能であるために必要な手段を備え、
その固定は、他の形態の中でも特に、縫合または接着により実行され得て、または、前記スポーツ衣服の内側または外側のいずれかの空間に収納され得る
ことを特徴とする、
スポーツ衣服。
【請求項１０】
請求項１から９のいずれかに記載のスポーツ衣服であって、
前記カメラ、前記電子回路、前記の一連のバッテリーなどの前記エレメントは、ゲル（それらを耐水性にし、通気性であり軽い）により被覆される
ことを特徴とする、
スポーツ衣服。
【発明の詳細な説明】
【技術分野】
【０００１】
［本発明の目的］
我々はオーディオビジュアルの社会に生きていて、画像の消費は近年、指数関数的に増加している。インターネットおよびＴＶは、数多くのコンテンツの開発の基礎としての役割を果たし、その中でも我々は、スポーツ送信が世界的に大きな利益を生み出す好況ビジネスであるように、スポーツに関するものを強調することができる。
【０００２】
本発明は、スポーツマンのための衣服に関し、視点は、フットボール、バスケットボール、陸上競技、・・・などのスポーツイベント、および、一般にアウトドアまたはインドアで行なわれる任意の個人スポーツまたはチームスポーツの、スポーツマンの視点と同じなので、一人称（ｉｎ  ｆｉｒｓｔ  ｐｅｒｓｏｎ）で映像の送信を可能にし、スポーツ送信における新たな視点：一人称での視点（実際のスポーツマンのもの）を作ることを可能にする。
【背景技術】
【０００３】
一人称でのスポーツイベントの送信は、特定のスポーツ、例えば自動車レース、オートバイ、極端なスポーツなどにおいて既に可能であり、ここで、乗り物またはこのタイプのスポーツマンが身に付ける特別なスーツに組み込まれるため、スポーツマンに影響を与えることなく主観カメラおよび振幅信号（ｓｉｇｎａｌ  ｏｆ  ｍａｇｎｉｔｕｄｅ）を組み合わせることが可能である。
【発明の概要】
【発明が解決しようとする課題】
【０００４】
しかしながら、スポーツ被服が非常に軽いスポーツでは、最近まで、電子機器（特に、必要なバッテリー）が空間を占め、スポーツの実施を妨げる重量を有したので、技術的理由のため、このタイプの送信を実行することは未だ不可能である。
【課題を解決するための手段】
【０００５】
本発明のスポーツ衣服は、スポーツマンの動作を妨げずに、スポーツの実施中に（これまでは不可能だった、例えば、フットボール、ラグビー、バスケットボール、テニス、陸上競技など）、リアルタイムでのオーディオおよび映像の記録および無線伝送を可能にする。この衣服を用いて、これがスポーツマンにいかなる不都合を生じさせることなく、および、その存在が観客およびスポーツマンに目立つことなく、スポーツマンが見るものを見ること、および聞くことができる。
【０００６】
このスポーツ衣服は、着用者のチームおよび／またはスポーツのための標準的なＴシャツからなり、以下のエレメントが組み込まれている：
−光学を組み込むビデオカメラおよびその送信に必要な画像処理ソフトウェア；そのバイザーは、小さなボタンホールを通ってスポーツ衣服の外側に向かって突き出る；
−周囲およびスポーツパーソンの音声をキャプチャーするマイクロホン；
−無線の形態およびコード化で、映像およびオーディオ信号をコード化および送信する電子回路；
−オーディオおよび映像信号の送信アンテナ；および、
−前記のデバイスを提供するための、一連のバッテリー。
【０００７】
前述のエレメントは、衣服の布地に固定されて、または、衣服の布地の内側または外側に胸の高さで前方領域に固定されてフレキシブルで軽いボードに組み込まれて、Ｔシャツの異なる部分の至る所に分配されてよい。
【０００８】
Ｔシャツは、取り外し可能な送信に必要な異なるエレメントを収容および固定することが可能であるために必要な手段を備える。その固定は、他の形態の中でも特に、縫合または接着により実行され得て、または、適切に内側または外側のいずれかの空間に収納され得る。
【０００９】
送信装置の操作に必要なエレメントを組み込むボードが用いられる場合、それは、一片の繊細なゴムおよび／または一片の繊細な布地により被覆されてＴシャツの前面に；または、Ｔシャツの前面の内側に存在するハウジングに、内側に縫合または接着されて固定されるかのいずれかであり、衣服を洗浄または洗濯する前に、送信が終了した時点で、その除去を可能にする。
【００１０】
相補的に、スポーツ衣服は、脈拍計および速度計（または別タイプのセンサー）を備えてよく、脈拍計は、好ましくは、カメラマザーボードにおいて、光学および速度計の横に、胸部に位置する。
【００１１】
この場合、送信機は、映像およびオーディオデータを送信するだけでなく、脈拍計および速度計データおよびカメラ配置データも送信し、距離を置いてカメラの調整を行ない、露出をブロックすることが可能であり、すなわち、双方向通信により、送信中にカメラ配置を修正することが可能である。
【００１２】
なされる説明を補足するため、および、本発明の特徴の理解を助けるために、ここで一連の図面を本明細書に添付し、説明的で非限定的な特徴を用いて、以下を示す：
【図面の簡単な説明】
【００１３】
【図１】可能な実施態様を示し、ここで、スポーツＴシャツ（１）は、スポーツマンがスポーツをしている間、画像および音声を送信するために必要なエレメントを備えることが観察される。
【図２】Ｔシャツに接着される、前面によるボード（２）の図である。
【図３】スポーツＴシャツ上に固定される前記ボード（２）に組み込まれた、エレメントの操作ブロック図である。
【発明を実施するための形態】
【００１４】
前述のとおり、スポーツ衣服は、Ｔシャツに収納および固定されたエレメントによりキャプチャーされる画像および音声の送信に必要な、全てのエレメントを収納および固定するために必要な手段を備える。
【００１５】
送信に必要なエレメントは：
−光学およびその送信に必要な画像処理ソフトウェアを備えるマザーボードを組み込んだ、ビデオカメラ；そのバイザーは、小さなボタンホールを通ってスポーツ衣服の外側に向かって突き出る；
−周囲およびスポーツパーソンの音声をキャプチャーする、マイクロホン；
−無線の形態およびコード化で、映像およびオーディオ信号をエンコードおよび送信する、一連の電子回路；
−オーディオおよび映像信号の送信アンテナ；および、
−前記のデバイスを提供するための、一連のバッテリー、バッテリーは再充電可能かつ取り外し可能である。
【００１６】
前記エレメントは、軽くてフレキシブルなボード（および、わずかな厚みを有する）に分類され得るか、または、Ｔシャツ上の異なる箇所の至る所で分配され得るかのいずれかであり、その場合、可能な解決手段は、好ましくは、制限されないが：
−胸部に、画像センサーおよびレンズを備えるカメラの光学、
−Ｔシャツの左肩、右肩および後部に、残りのエレメント、例えば、高周波送信機およびアンテナ、カメラマザーボード、および一連のバッテリーを、分散することが可能である。
【００１７】
ここで、全てのエレメントは、フレキシブルプリント回路により相互接続されている。
【００１８】
代替の実施態様では、全てのエレメントは、非常に軽くてわずかな厚みを有するフレキシブルボード（２）上にマウントされ、図１に示すように、Ｔシャツまたはスポーツ衣服（１）は、前方に、スポーツマンの胸の高さで、Ｔシャツ（１）の内側に固定され、一片の繊細なゴムおよび一片の繊細な布地により被覆されて、Ｔシャツに縫合または接着された、非常に軽くてわずかな厚みのフレキシブルボード（２）を有し、それは、カメラ（４）の操作に必要なエレメントを組み込み、そのバイザーは、それがＴシャツの内側に全体的に被覆され、スポーツマンと同じ視点からビデオ画像を鮮明にキャプチャーするように、小さなボタンホールを通って、前方へ向かって突き出ることが観察される。
【００１９】
実施態様のこの形態では、ビデオカメラ（４）およびマイクロホン（５）は、ボードに組み込まれ（２、オーディオおよび映像データを収集し、データを映像信号に変換する信号コーダー（６）へ送信され、送信機（７）は、アンテナ（３）の助けを借りて送信する役割を担う。回路全体は、非常に小型で再充電可能かつ取り外し可能な、一連のバッテリー（８）が搭載されている。
【００２０】
図３は、送信装置を組み込む機能エレメントを示し、全て、ボード（２）内に含まれ、このスキームに従ってマウントされる：
−光学、画像センサーおよび画像プロセッサを組み込む、ビデオカメラ（４）。
−マイクロホン（５）。
−オーディオおよび映像信号を圧縮およびコード化するコーダー（６）。
−アンテナ（３）を無線で通る映像およびオーディオ信号の送信機（７）。
−一連のバッテリー（８）。
−小さなアンテナ（３）。
【００２１】
この衣服を用いて、スポーツイベントの送信を、スポーツマンの視点から送信することができるときから、彼が見て聞き、および言うことの両方を、よりいっそう動的かつ個人的に行なうことができる。スポーツマンが動く領域に近い場所で映像およびオーディオ信号をキャプチャーするために、対応する受信アンテナを、スポーツ用であろうとなかろうと、任意の他の無線伝送と同等の様式でインストールすべきである。
【００２２】
カメラ、電子回路、一連のバッテリーなどの全てのエレメントは、衝突の場合にスポーツマンを保護するゲルにより、エレメントに対して被覆され、それらを耐水性にし、それは通気性であり軽い。
【００２３】
本発明の特性および好ましい実施態様の例を十分に記載したので、以下の特許請求の範囲に記載される本発明の本質的な特徴の変更を伴わない限り、記載されるエレメントの材料、形態、サイズおよびレイアウトは変更してよいことを留意しなければならない。
【図１】
2016528394.tif 000002
【図２】
2016528394.tif 000003
【図３】
2016528394.tif 000004
【国際調査報告】
2016528394.tif 000005
2016528394.tif 000006
2016528394.tif 000007
2016528394.tif 000008